(57)【要約】【課題】ダイレクトプリント時においてもリモコンでカメラを遠隔操作可能とし、機器の設置場所やユーザの居場所等の制限を受けずにプリントできるシステムの構築。【解決手段】被写体の画像を撮像する撮像装置と、前記撮像装置が撮像した画像をプリントするプリント装置とを備え、前記撮像装置と前記プリント装置とが通信可能に接続されたプリントシステムであって、前記撮像装置は、リモコンによる遠隔操作が可能であり、前記撮像装置を操作するリモコンによる前記プリント装置の遠隔操作を可能とした。【選択図】      図１
2006076030.tif 000002
【特許請求の範囲】
【請求項１】
被写体の画像を撮像する撮像装置と、前記撮像装置が撮像した画像をプリントするプリント装置とを備え、前記撮像装置と前記プリント装置とが通信可能に接続されたプリントシステムであって、
前記撮像装置は、リモコンによる遠隔操作が可能であり、
前記撮像装置を操作するリモコンによる前記プリント装置の遠隔操作を可能としたことを特徴とするプリントシステム。
【請求項２】
前記撮像装置は、外部機器を接続するための外部接続部と、前記リモコンからの操作信号を受信するリモコン受信部とを備え、
前記プリンタ装置は、前記リモコンからの操作信号を受信するリモコン受信部を備え、前記外部接続部を介して前記撮像装置に接続されていることを特徴とする請求項１に記載のプリントシステム。
【請求項３】
前記リモコンからの操作信号を受信するリモコン受信部を有し、前記外部接続部を介して前記撮像装置に接続された表示装置を更に備えることを特徴とする請求項２に記載のプリントシステム。
【請求項４】
前記撮像装置と前記プリンタ装置との接続時又は通信時において、前記撮像装置は前記プリンタ装置により制御可能なプリントモードになり、
前記プリンタ装置は、前記リモコンの操作信号を前記プリンタ装置のリモコン受信部で受信し、当該操作信号を前記撮像装置に転送することを特徴とする請求項１乃至３のいずれか１項に記載のプリントシステム。
【請求項５】
被写体の画像を撮像する撮像装置と、前記撮像装置が撮像した画像をプリントするプリント装置とを備え、前記撮像装置と前記プリント装置とが通信可能に接続されたプリントシステムにおける制御方法であって、
前記プリント装置を、前記撮像装置を遠隔操作可能なリモコンにより制御することを特徴とする制御方法。
【請求項６】
前記撮像装置と前記プリンタ装置との接続時又は通信時において、前記撮像装置は前記プリンタ装置により制御可能なプリントモードになり、
前記プリンタ装置は、前記リモコンの操作信号を前記プリンタ装置のリモコン受信部で受信し、当該操作信号を前記撮像装置に転送することを特徴とする請求項５に記載の制御方法。
【請求項７】
画像再生装置との直接通信により受信した画像データをプリントするプリンタであって、
前記画像再生装置と通信する通信手段と、
前記画像再生装置を遠隔操作するための操作装置からの操作信号を受信する受信手段と、
前記受信手段で受信した信号を解釈し、前記画像再生装置を制御するための制御信号を前記通信手段を介して送信する送信手段とを有することを特徴とするプリンタ。
【請求項８】
前記操作信号には、プリンタ制御用の信号と前記画像再生装置制御用の信号とを含み、前記送信手段は前記画像再生装置制御用の信号を前記画像再生装置に送信することを特徴とする請求項７に記載のプリンタ。
【請求項９】
さらに前記受信手段で受信した信号に基づいて、プリントジョブを作成する作成手段を有することを特徴とする請求項７又は８に記載のプリンタ。
【請求項１０】
画像再生装置と通信する通信手段を備え、当該画像再生装置との直接通信により受信した画像データをプリントするプリンタの制御方法であって、
前記画像再生装置を遠隔操作するための操作装置からの操作信号を受信する受信工程と、
前記受信工程で受信した信号を解釈し、前記画像再生装置を制御するための制御信号を前記通信手段を介して送信する送信工程とを有することを特徴とする制御方法。
【請求項１１】
前記操作信号には、プリンタ制御用の信号と前記画像再生装置制御用の信号とを含み、前記送信工程は前記画像再生装置制御用の信号を前記画像再生装置に送信することを特徴とする請求項１０に記載の制御方法。
【請求項１２】
さらに前記受信工程で受信した信号に基づいて、プリントジョブを作成する作成工程を有することを特徴とする請求項１０又は１１に記載の制御方法。
【請求項１３】
画像出力装置を操作する遠隔操作装置であって、
再生したい画像を選択するため選択部と、
前記選択部で画像を選択する以外の操作を指示するための操作部と、
前記画像出力装置が、プリントしたい画像データを選択可能なプリントモードである場合には、前記操作部のうちのいずれかが、前記選択部で選択した画像をプリントするため指示を行うプリント指示部に変更されることを特徴とする遠隔操作装置。
【請求項１４】
さらに前記画像出力装置の動作モードを指定するモード指定部を有し、
前記モード指定部への操作に応じた動作モードに応じて、前記画像出力装置へ送出する信号を切り換えることを特徴とする請求項１３に記載の遠隔操作装置。
【請求項１５】
再生したい画像を選択するため選択部と、前記選択部で画像を選択する以外の操作を指示するための操作部とを有し、画像出力装置を操作する遠隔操作装置の制御方法であって、
前記画像出力装置が、プリントしたい画像データを選択可能なプリントモードである場合には、前記操作部のうちのいずれかを、前記選択部で選択した画像をプリントするため指示を行うプリント指示部に変更することを特徴とする制御方法。
【請求項１６】
前記遠隔操作装置は、さらに前記画像出力装置の動作モードを指定するモード指定部を有し、
前記モード指定部への操作に応じた動作モードに応じて、前記画像出力装置へ送出する信号を切り換えることを特徴とする請求項１５に記載の制御方法。
【発明の詳細な説明】
【技術分野】
【０００１】
本発明は、リモコン受信部を備えたデジタルスチルカメラやデジタルビデオカメラ（以下、「デジタルカメラ」又は単に「カメラ」という。）にプリンタを直接接続したプリントシステムおいて、カメラ及びプリンタをリモコンによりワイヤレスで遠隔操作する技術に関する。
【背景技術】
【０００２】
近年、フィルムカメラを凌駕する勢いでその市場を延ばしているデジタルカメラは、単に撮影した画像を見たり、パーソナルコンピュータ（ＰＣ）に撮影した画像を保存するだけでなく、撮影した画像をプリンタで出力して楽しむユーザが増えてきている。当初の出力形態は、ＰＣを核として、撮影した画像をＰＣに一旦取り込んだ後、ＰＣに接続されているプリンタにより画像を出力していたが、近年では、ＰＣを介さず直接カメラとプリンタを接続して画像を出力するカメラダイレクトプリントシステムの人気が高まっている。そこで、図６を用いて、従来のカメラダイレクトプリントシステムについて説明する。
【０００３】
図６は従来のカメラダイレクトプリントシステムの概要を示す斜視図である。
【０００４】
図６において、１０１は不図示のＣＣＤ、信号処理基板、電源基板、電池、撮影した画像を記録媒体に記録する記録手段を内蔵したデジタルカメラ本体、１０２は撮影レンズ、１０３は光学ファインダ、１０４はストロボ発光部の前面パネルであるところのフレネルレンズ、１０５はリモコン１３１から発する操作信号を受光するリモコン受光部、１０６はカメラ本体１０１の背面に具備された表示手段であるところの液晶パネル、１０７はカメラ本体１０１の側面に設けられたビデオ及び音声出力用のジャック、１０８はＰＣやプリンタと接続するためのデジタル端子、１２１はケーブル１２２でカメラ本体１０１と接続されているプリンタ、１２３はケーブル１２４によりカメラ本体１０１と接続されるモニタ、１３１はカメラ１０１を遠隔操作するためのリモコンである。
【０００５】
上記構成において、ユーザがカメラで撮影した画像をプリントアウトしたい場合、カメラ１０１に設けられた不図示のモード切替スイッチで撮影モードから再生モードに切り替える。このとき、ジャック１０７やデジタル端子１０８に何も接続されていなければ、記録媒体に記録された画像を液晶パネル１０６に表示する再生モードとなる。また、デジタル端子１０８には何も接続されておらず、ジャック１０７にのみケーブル１２４でモニタ１２３が接続されていた場合、同じ再生モードであっても、液晶パネル１０６には画像の表示はされず、モニタ１２３に表示される。更に、図６のようにジャック１０７だけではなく、デジタル端子１０８にケーブル１２２でプリンタ１２２が接続されていた場合、カメラ１０１は、先ず通信モードとなり、通信先がプリンタであると判断するとダイレクトプリントモードにモードを変更する。この状態で、ユーザはカメラ１０１の不図示の操作スイッチでプリントアウトしたい画像をモニタ１２３を見ながら選択し、さらに不図示の操作スイッチでプリントアウトの指示をカメラ１０１にする。すると、カメラ１０１は画像データをプリンタ１２１に転送し、プリンタ１２１は送られてきた画像データをもとに画像をプリントアウトする。
【０００６】
また、特許文献１には、デジタルカメラをリモコンで操作し、プリンタを有する外部装置に転送することが開示されている。なお、特許文献１では、リモコンで操作できるのはカメラのみであり、プリンタをもリモコンで操作可能とした技術思想は開示されていない。
【特許文献１】特開２０００−０２３０１５号公報
【発明の開示】
【発明が解決しようとする課題】
【０００７】
しかしながら、上記図６に示す構成では、リモコン１３１は撮影及び再生時にのみリモコン受光部１０５を介してカメラ１０１を遠隔操作可能であったために、プリントアウトのためにはカメラを持って操作しなければならなかった。このため、プレゼンテーションや店頭での説明など、ユーザが離れた場所にいる場合、カメラのところまで移動しなければならず大変煩わしいという問題点があった。
【０００８】
さらに、その解決策としてダイレクトプリント時にも遠隔操作可能となるようにしても、リモコン受光部がカメラだけにしか設けられていないために、
（１）リモコンの投光範囲にカメラを置く必要があり機器の設置に制限が発生する。
（２）人はリモコン操作を行うとき、往々にして動いているものにリモコンを向けがちなため、ダイレクトプリントシステムにおいては、システムのコントローラではあるが動かないカメラよりプリンタにリモコンを向けてしまい、結果、間違いに気づいて改めてカメラに向かってリモコン操作することになり、違和感、紛らわしさなどスムーズなプリントアウトができない。
という問題点があった。
【０００９】
そこで、本発明の第１の目的は、ダイレクトプリント時においてもリモコンでカメラを遠隔操作可能とし、機器の設置場所やユーザの居場所等の制限を受けずにプリントできるシステムを構築できるシステムを提供することである。
【００１０】
また、本発明の第２の目的は、自由度のある機器の設置場所の自由度が高められるシステムを提供することである。
【００１１】
さらに、本発明の第３の目的は、リモコン操作において、違和感や紛らわしさなどの無いスムーズなプリントアウトが可能となるシステムを提供することである。
【課題を解決するための手段】
【００１２】
上記目的を達成するため、本発明は、被写体の画像を撮像する撮像装置と、前記撮像装置が撮像した画像をプリントするプリント装置とを備え、前記撮像装置と前記プリント装置とが通信可能に接続されたプリントシステムであって、前記撮像装置は、リモコンによる遠隔操作が可能であり、前記撮像装置を操作するリモコンによる前記プリント装置の遠隔操作を可能とした。
【００１３】
また、本発明は、被写体の画像を撮像する撮像装置と、前記撮像装置が撮像した画像をプリントするプリント装置とを備え、前記撮像装置と前記プリント装置とが通信可能に接続されたプリントシステムにおける制御方法であって、前記プリント装置を、前記撮像装置を遠隔操作可能なリモコンにより制御する。
【００１４】
また、上記システム又は方法において、前記撮像装置は、外部機器を接続するための外部接続部と、前記リモコンからの操作信号を受信するリモコン受信部とを備え、前記プリンタ装置は、前記リモコンからの操作信号を受信するリモコン受信部を備え、前記外部接続部を介して前記撮像装置に接続されている。
【００１５】
また、上記システム又は方法において、前記リモコンからの操作信号を受信するリモコン受信部を有し、前記外部接続部を介して前記撮像装置に接続された表示装置を更に備える。
【００１６】
また、上記システム又は方法において、前記撮像装置と前記プリンタ装置との接続時又は通信時において、前記撮像装置は前記プリンタ装置により制御可能なプリントモードになり、前記プリンタ装置は、前記リモコンの操作信号を前記プリンタ装置のリモコン受信部で受信し、当該操作信号を前記撮像装置に転送する。
【００１７】
また、本発明は、画像再生装置との直接通信により受信した画像データをプリントするプリンタであって、前記画像再生装置と通信する通信手段と、前記画像再生装置を遠隔操作するための操作装置からの操作信号を受信する受信手段と、前記受信手段で受信した信号を解釈し、前記画像再生装置を制御するための制御信号を前記通信手段を介して送信する送信手段とを有する。
【００１８】
また、本発明は、画像再生装置と通信する通信手段を備え、当該画像再生装置との直接通信により受信した画像データをプリントするプリンタの制御方法であって、前記画像再生装置を遠隔操作するための操作装置からの操作信号を受信する受信工程と、前記受信工程で受信した信号を解釈し、前記画像再生装置を制御するための制御信号を前記通信手段を介して送信する送信工程とを有する。
【００１９】
また、上記プリンタ又は方法において、前記操作信号には、プリンタ制御用の信号と前記画像再生装置制御用の信号とを含み、前記送信手段は前記画像再生装置制御用の信号を前記画像再生装置に送信する。
【００２０】
また、上記プリンタ又は方法において、さらに前記受信手段又は工程で受信した信号に基づいて、プリントジョブを作成する作成手段又は工程を有する。
【００２１】
また、本発明は、画像出力装置を操作する遠隔操作装置であって、再生したい画像を選択するため選択部と、前記選択部で画像を選択する以外の操作を指示するための操作部と、前記画像出力装置が、プリントしたい画像データを選択可能なプリントモードである場合には、前記操作部のうちのいずれかが、前記選択部で選択した画像をプリントするため指示を行うプリント指示部に変更される。
【００２２】
また、本発明は、再生したい画像を選択するため選択部と、前記選択部で画像を選択する以外の操作を指示するための操作部とを有し、画像出力装置を操作する遠隔操作装置の制御方法であって、前記画像出力装置が、プリントしたい画像データを選択可能なプリントモードである場合には、前記操作部のうちのいずれかを、前記選択部で選択した画像をプリントするため指示を行うプリント指示部に変更する。
【００２３】
また、上記装置又は方法において、さらに前記画像出力装置の動作モードを指定するモード指定部を有し、前記モード指定部への操作に応じた動作モードに応じて、前記画像出力装置へ送出する信号を切り換える。
【発明の効果】
【００２４】
以上説明したように、本発明によれば、従来において撮影時及び再生時にのみ使用可能であったリモコンによる遠隔操作を、ダイレクトプリント時にもできるようになり、装置の設置場所やユーザの居場所等の制限を受けずにプリントできるシステムを構築できる。
【００２５】
更には、システムを構成するプリンタやモニタにもリモコン受信部を設けたので、ユーザがカメラ以外の装置にリモコンを向けた場合でも操作可能となって機器の設置場所の自由度が高められると共に、ユーザがカメラとは異なる動いているプリンタに直感的にリモコンを向けて操作してしまっても、きちんとプリントアウトすることができ、利便性を高めることができる。
【発明を実施するための最良の形態】
【００２６】
以下に、添付図面を参照して本発明を実施するための最良の形態について詳細に説明する。
【００２７】
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００２８】
また、本発明は、後述する実施形態であるプリントシステムを構成する各装置の機能を実現するソフトウェアのプログラムコードを記憶した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
［第１の実施形態］
図１は、本発明に係る第１の実施形態のカメラダイレクトプリントシステムの概要を示す斜視図である。
【００２９】
図１において、１は、不図示のＣＣＤ、信号処理基板、電源基板、電池、撮影した画像を記録媒体に記録する記録手段を内蔵したデジタルカメラ本体、２は撮影レンズ、３は光学ファインダ、４はストロボ発光部の前面パネルであるところのフレネルレンズ、５はリモコン３１から発するワイヤレスの操作信号を受光するリモコン受光部、６はカメラ本体１の背面に具備された表示手段であるところの液晶パネル、７はカメラ本体１の側面に設けられたビデオ及び音声出力用のジャック、８は外部機器としてのＰＣやプリンタと接続するためのデジタル端子、１１は、リモコン３１から発するワイヤレスの操作信号（赤外線や電波等）を受光するリモコン受光部１２を備えるプリンタ、２１はケーブル４２によりカメラ本体１と接続されるモニタ、３１はカメラ１をワイヤレスで遠隔操作するためのリモコンである。
【００３０】
上記構成において、プリンタ１１は、デジタル端子８を介してケーブル４１でカメラ１に通信可能に接続される。
【００３１】
図２はリモコンの操作系を示す平面図であり、モコン３１は、例えば、赤外線方式でその操作面に設けられた各スイッチＳＷ１〜ＳＷ８を押すことで予め決められたコードが出力される。
【００３２】
図３は、図１に示すシステムの概略ブロック図であり、カメラ１は、撮影レンズ２、光学信号を電気信号に変換する固体撮像素子（ＣＣＤ）５１、マイコンを備えた信号処理部５２、記録媒体に画像を記録する記録部５３、電源部５４、画像を表示する表示部５５、操作スイッチ群５６、リモコン受光部５７、通信部５８にはビデオ、音声出力用のジャック５９とＰＣやプリンタと接続するためのデジタル端子６０で構成されている。
【００３３】
プリンタ１１は、リモコン受光部１２、コントローラ７１、印字部７２、給排紙部７３、通信部７４で構成されている。モニタ２１は、カメラ１のジャック５９で、プリンタ１１はデジタル端子６０でカメラ１と接続されている。
【００３４】
上述の構成において、ユーザがカメラで撮影した画像をプリントアウトしたい場合、カメラ１０１に設けられた不図示のモード切替スイッチで撮影モードから再生モードに切り替える。このとき、ジャック７やデジタル端子８に何も接続されていなければ、記録媒体に記録された画像を液晶パネル６に表示する再生モードとなる。また、デジタル端子８には何も接続されておらず、ジャック７にのみケーブル４２でモニタ２１が接続されていた場合、同じ再生モードであっても、液晶パネル６には画像の表示はされず、モニタ２１に表示される。更に、図１のようにジャック７だけではなく、デジタル端子８にケーブル４１でプリンタ１１が接続されていた場合、カメラ１は、先ず通信モードとなり、通信先がプリンタであると判断するとダイレクトプリントモードにモードを変更する。
【００３５】
ユーザがカメラ１の近くにいる場合には、ユーザはカメラ１の操作スイッチでプリントアウトしたい画像をモニタ２１を見ながら選択し、さらに操作スイッチでプリントアウトの指示をカメラ１にする。すると、カメラ１は画像データをプリンタ１１に転送し、プリンタ１１は送られてきた画像データをもとに画像をプリントアウトする。
【００３６】
また、プレゼンテーションや店頭での説明などユーザがカメラ１から離れた場所にいる場合、カメラ１のリモコン受光部５がユーザに向いていれば、ユーザはリモコン３１をカメラ１に、プリンタ１１のリモコン受光部１２がユーザに向いていればプリンタ１１に向けて操作する。言い換えれば、どちらか一方のリモコン受光部がユーザに向いていれば遠隔操作可能なので、リモコンのことを気にせずに自由に機器の設置ができる。
【００３７】
次に、図２を用いて、リモコンの機能について説明する。
【００３８】
本実施形態では、カメラの各モード（撮影モード、再生モード、ダイレクトプリントモード）に合わせて遠隔操作できるリモコン機能が備えられている。
１．撮影モードでのリモコン機能
カメラ１に設けられたモード切替スイッチで撮影モードに切り替えた場合、リモコン３１のＳＷ１がレリーズボタン、ＳＷ２がＴＥＬＥ側ズームボタン、ＳＷ３がＷＩＤＥ側ズームボタンとなり、ＳＷ２，３で所望する撮影範囲を選択し、ＳＷ１で撮影することができる。ＳＷ４はモニタ２１や液晶パネル６への被写体画像の表示／非表示の切り替えや、撮影可能枚数、撮影条件など撮影情報の表示／非表示の切り替えができる。他のＳＷは無効となる。
２．再生モードでのリモコン機能
カメラ１に設けられたモード切替ＳＷで再生モードに切り替えた場合、モニタ２１に記録媒体に記録されている画像を再生し、ＳＷ５，６で画像の送り戻しが可能となり、ＳＷ７で一度に９画像が表示できるマルチ画面となり、逆にＳＷ８で９画像を１画像に戻したり、１画像の一部を拡大表示する画面とすることができる。さらに、ＳＷ７乃至ＳＷ８を押した場合に、ＳＷ２，３，５，６が上下左右の移動キーとなる。ＳＷ１は無効となる。
３．ダイレクトプリントモードでのリモコン機能
前述の再生モードからデジタル端子にケーブルを介してプリンタを接続すると、先ず通信モードとなり、通信先がＰＣではなくプリンタであると判断するとダイレクトプリントモードになる。この場合のリモコン機能は、再生モードの時の機能に加えＳＷ１がプリントアウトのコマンドキーになる。つまり、ユーザはプリントアウトしたい画像をモニタを見ながら、ＳＷ５，６の送り戻しやＳＷ７のマルチ画面を使って選択したり、ＳＷ８でプリントアウトしたい画像の一部を拡大表示した状態で、ＳＷ１を押すことで容易にプリントアウトできる。
【００３９】
なお、上記のように同一スイッチであっても、画像再生装置であるカメラの動作モードに応じて、その役割が異なるようにしている。このような動作を行うために画像再生装置内のCPUは、同一スイッチに対する信号であっても、その動作モードに応じて受信した信号の意味を解釈することを行っている。これにより、撮影モードでは撮影指示を行うためのＳＷ１が、ダイレクトプリントモードではプリント指示ボタンとすることが出来る。
【００４０】
なお、他の実施形態として、リモコンである遠隔操作装置が、同一スイッチへの操作であっても、カメラの動作モードに応じて送出する信号を変更するようにしても良い。この場合、遠隔装置側に、ボタンを設けて、これにより送出する信号を切り換えても良い。また、遠隔操作装置において、カメラの動作モードを切り換える為のボタンを設け、このボタンへの操作によりカメラの動作モードを切り換えるとともに、切り替わった後の動作モードに応じて送出する信号を切り換えても良い。
【００４１】
次に、図３のシステムブロック図を用いて、ダイレクトプリントモードにおけるリモコンからの信号を受けたプリントシステムの動作について説明する。
【００４２】
操作スイッチ群５６で再生モードが選択されると、信号処理部５２のマイコンは通信部５８のデジタル端子６０に接続されている装置を検出する。本実施形態の場合、プリンタ１１が接続されているのでプリンタ１１のコントローラ７１からの信号で、信号処理部５２のマイコンはダイレクトプリントモードに切り替わる。これにより、リモコン受光部５７からの信号はダイレクトプリントモードにおける機能のテーブルと照合され、リモコンの各ＳＷに対応してカメラ１を動作させる。例えば、ユーザがモニタ２１に表示されている画像を切り替えようとしてリモコン３１のＳＷ６を押すと、リモコン受光部５７で受けた信号でマイコンは記録部５３にアクセスして記録媒体に記録されている次の画像を選択し、通信部５８を介してモニタ２１に表示する。この画像のプリントアウトを得るためにリモコンＳＷ１を押すとリモコン受光部５７で受けた信号でマイコンは画像データを不図示の変換手段でＹＭＣ面順次データに変換した後、通信部５８を介してプリンタ１１にデータを転送する。このデータを受けたプリンタ１１のコントローラ７１は給排紙部７３，印字部７２に信号を出してプリントアウトする。
【００４３】
ユーザがプリンタ１１に向けてリモコンを操作した場合、リモコン受光部１２に入った信号はプリンタ１１のコントローラ７１を介してカメラ１へと転送され、その信号をもとに信号処理部５２のマイコンがカメラ１を動作させる。プリントアウトまでのその後の動作は前述と同様である。
【００４４】
なお、ここでは、リモコンから送出される信号は、カメラ制御用の情報と、プリンタ制御用の信号が含まれているとしている。そして、プリンタに入力された信号は、プリンタ１１のコントローラ７１で解釈され、少なくともカメラ制御用の信号をカメラ側に送信する。
【００４５】
また、プリンタ１１のコントローラ７１は、リモコンから信号を受信したことにより、どの画像をプリントするのか、また、何枚、どのような形態でプリントするのかを規定するプリントジョブを生成する。
【００４６】
生成したジョブに応じて、プリンタのコントローラは、カメラにプリントすべき画像の送信を要求する。カメラはプリンタからの要求に応じて画像データを送信する。
【００４７】
これによって、リモコンからのプリント指示に応じて勝手にカメラが動作するのではなく、プリンタがプリント処理をコントロールすることが出来る。
【００４８】
つまり、例えばプリンタは、ＰＣなどの他の装置からプリント制御を受けている場合があるが、例えばＰＣからのプリント処理が終了するまでプリンタはそのジョブのプリント動作を中断し、プリンタはプリント可能なタイミングでそのジョブに応じたプリント動作を行う等の制御が容易に出来る。
【００４９】
また、上記実施形態とは反対に、ユーザがカメラ１に向けてプリンタのリモコンを操作した場合、カメラ１とプリンタ１１の接続時にはカメラ側のリモコン受光部に入った信号はカメラ１の信号処理部５２を介してプリンタ１１へと転送され、その信号をもとにコントローラ７１がプリンタ１１を動作させてもよい。
【００５０】
このように構成することで、カメラ（画像供給装置）と、プリンタ（画像受信装置）との間の通信を、どちら側の機器に向けたリモコン操作でも実現することが可能になり、ユーザの操作上の混乱を避けることができる。
［第２の実施形態］
図４は、本発明に係る第２の実施形態のカメラダイレクトプリントシステムの概要を示す斜視図である。なお、以下では、第１の実施形態と同じ構成要素には同じ番号を付して説明を省略する。
【００５１】
図４において、２２はリモコン受光部２３を備えたモニタ、４３はビデオ、音声用のケーブル、ケーブル４４はカメラ１のデジタル端子８とモニタ２２の不図示のデジタル端子に接続され、ケーブル４５はモニタ２２の不図示のデジタル端子とプリンタ１１の不図示のデジタル端子に接続される。モニタ２２のリモコン受光部２３はカメラ用のリモコンからの信号を受光するだけではなく、モニタ２２の色、明るさ、音量など操作するモニタ用リモコンの信号も受光できる。
【００５２】
図５は、図１に示すシステムの概略ブロック図であり、モニタ２２には表示部８１、コントローラ８２、通信部８３が設けられている。
【００５３】
図４において、カメラ１，プリンタ１１、モニタ２２のそれぞれにリモコン受光部が備えられているので、ダイレクトプリントモードにおいて、第１の実施形態以上に機器の配置が自由になり、例えば、店頭での説明でモニタだけをお客の見えるところにおいた状態でも、リモコンでプリントアウトできるなどユーザの自由な発想で本システムが使えるようになる。
【００５４】
次に、図５を用いてリモコンからの信号を受けたプリントシステムの動作について説明する。
【００５５】
先ず、プリンタ１１のリモコン受光部１２が信号を受けると、コントローラ７１，通信部７４、ケーブル４５を介してモニタ２２の通信部８３に信号を送る。この信号をモニタ２２のコントローラ８２が判断して、ケーブル４４を介してカメラ１に信号を送り、カメラ１はユーザの所望する動作をする。もし、プリントアウトのコマンドであれば、第１の実施形態と同じように先ずは面順次データをケーブル４４でモニタ２２に送り、その後モニタ２２のコントローラ８２からケーブル４５を介してプリンタ１１に信号を送り、プリントアウトする。
【００５６】
次に、モニタ２２のリモコン受光部２３が信号を受けると、コントローラ８２はモニタ用のリモコン信号かカメラ用のリモコン信号かを判別し、カメラ用信号と判別した場合にはケーブル４４を介してカメラ１に信号を送り、カメラ１はユーザの所望する動作をする。もし、プリントアウトのコマンドであれば、第１の実施形態と同じように面順次データをケーブル４４でモニタ２２に送り、その後モニタ２２のコントローラ８２からケーブル４５を介してプリンタ１１に信号を送り、プリントアウトする。
【図面の簡単な説明】
【００５７】
【図１】本発明に係る第１の実施形態のシステム構成を示す斜視図である。
【図２】本発明に係る第１の実施形態のリモコンの平面図である。
【図３】本発明に係る第１の実施形態のシステム構成を示すブロック図である。
【図４】本発明に係る第２の実施形態のシステム構成を示す斜視図である。
【図５】本発明に係る第２の実施形態のシステム構成を示すブロック図である。
【図６】従来例のシステム構成を示す斜視図である。
【符号の説明】
【００５８】
１  デジタルカメラ
２  撮影レンズ
３  光学ファインダ
４  フレネルレンズ
５，１２，２３，５７  リモコン受光部
６  液晶パネル
７，５９  ジャック
８，６０  デジタル端子
１１  プリンタ
２１，２２  モニタ
３１  リモコン
４１−４５  ケーブル
５１  ＣＣＤ
５２  信号処理部
５３  記録部
５４  電源部
５５，８１  表示部
５６  操作スイッチ群
５８，７４，８３  通信部
７１，８２  コントローラ
７２  印字部
７３  給排紙部
【図１】
2006076030.tif 000003
【図２】
2006076030.tif 000004
【図３】
2006076030.tif 000005
【図４】
2006076030.tif 000006
【図５】
2006076030.tif 000007
【図６】
2006076030.tif 000008